(57)【要約】【課題】商品の陳列状態を多様化することや多様に変化させ、消費者の注目を強く引いて商品の購買意欲を喚起する。【解決手段】平面視略正方形で上方に開口する容器本体２０の内側に設置され、容器本体２０の側壁２２の上部に形成される段差部２３で外周フランジ１５が支持される合成樹脂製の包装用容器の中皿１０であり、外周フランジ１５の外周縁を構成する第１辺１５１と第２辺１５２が交互に配置されて平面視略八角形に形成され、略中央に収容部１３が形成され、容器本体２０の側壁２２の辺部を縦横に揃えて配置した状態に対して２組の第１辺１５１・１５１の対向する方向を縦横に揃えて設置した第１の状態と、側壁２２の辺部を縦横に揃えて配置した状態に対して２組の第２辺１５２・１５２の対向する方向を縦横に揃えて設置した第２の状態とで、収容部１３の側壁上端１２２の平面視形状が容器本体２０の縦横に対して異方性を有する。【選択図】図７
2018016338.tif 000002
【特許請求の範囲】
【請求項１】
平面視略正方形で上方に開口する包装用容器の容器本体の内側に設置され、前記容器本体の側壁の上部に形成される段差部で外周フランジが支持される合成樹脂製の中皿であって、
前記外周フランジは、その外周縁を構成する第１辺と第２辺が交互に配置されて平面視略八角形に形成され、
前記中皿の略中央に収容部が形成され、
前記容器本体の前記側壁の辺部を縦横に揃えて配置した状態に対して２組の前記第１辺の対向する方向を縦横に揃えて前記容器本体の内側に設置した第１の状態と、前記容器本体の前記側壁の辺部を縦横に揃えて配置した状態に対して２組の前記第２辺の対向する方向を縦横に揃えて前記容器本体の内側に設置した第２の状態とで、前記収容部の側壁の上端の平面視形状が前記容器本体の縦横に対して異方性を有することを特徴とする包装用容器の中皿。
【請求項２】
前記外周フランジの前記第１辺の長さが前記第２辺の長さよりも長く形成されていることを特徴とする請求項１記載の包装用容器の中皿。
【請求項３】
前記収容部の前記側壁の上端が平面視略多角形若しくは平面視略楕円形に形成され、前記収容部の前記側壁の上端で囲まれる平面視面積が前記中皿の全体の平面視面積の６５％以上を占めていることを特徴とする請求項１又は２記載の包装用容器の中皿。
【請求項４】
前記収容部の前記側壁の上端が四隅で湾曲する平面視略矩形に形成されていると共に、前記収容部の前記側壁が前記外周フランジよりも上方に立ち上がるように形成され、
前記外周フランジの前記第１辺が前記収容部の前記側壁のそれぞれの辺の部分と略対応するように配置され、
前記外周フランジの前記第１辺よりも長さが短い前記第２辺が前記収容部の前記側壁の湾曲する湾曲部と略対応するように配置され、
前記収容部の前記側壁の下方に向かって外側に拡がる略テーパ状の外壁面の傾斜角度が、前記湾曲部の中央部分に対応する箇所で最も急峻になっていることを特徴とする請求項１〜３の何れかに記載の包装用容器の中皿。
【請求項５】
平面視略正方形で上方に開口し、側壁の上部に段差部が形成された合成樹脂製の容器本体と、
前記外周フランジが前記段差部で支持されるようにして前記容器本体の内側に設置される請求項１〜４の何れかに記載の中皿と
を備えることを特徴とする包装用容器。
【請求項６】
前記外周フランジの前記第１辺の長さが前記第２辺の長さよりも長く形成されていると共に、
前記容器本体の前記段差部の外端部が上方に向かって外側に拡がる略テーパ状に形成されていることを特徴とする請求項５記載の包装用容器。
【請求項７】
前記中皿の前記収容部の前記側壁が前記外周フランジよりも上方に立ち上がるように形成され、且つ前記収容部の前記側壁の外壁面が下方に向かって外側に拡がる略テーパ状に形成されていると共に、
前記容器本体に内嵌合で着脱可能な合成樹脂製の蓋が設けられ、
前記蓋の側壁は下方に向かって外側に拡がる略テーパ状に形成され、
前記中皿を前記容器本体の内側に前記第１の状態と前記第２の状態のいずれで設置した場合にも、前記蓋の側壁が前記収容部の前記側壁に接触した状態若しくは離間した状態で、前記蓋が前記容器本体を内嵌合で閉鎖可能になっていることを特徴とする請求項５又は６記載の包装用容器。
【発明の詳細な説明】
【技術分野】
【０００１】
本発明は、食品、食材等が収容される合成樹脂製の包装用容器の中皿、及び中皿を備える包装用容器に関する。
【背景技術】
【０００２】
従来、惣菜のような食品等を店舗販売する際に、これらの食品等を収容する包装用容器として、合成樹脂製の包装用容器に合成樹脂製の中皿が内装される中皿付き包装用容器が用いられている。中皿付き包装用容器は、包装用容器への全体的な食品等の収容量を増加させることができると共に、異種の食品等を互いに区分して収容することが可能であり、葉物が別の具材で沈み込むのを防止するなど異種の食品等を見栄え良く綺麗に収容できる、収容する食品等を多様化できる、異種の食品等との間で味移りが生ずることを防止できるというメリットを有する。
【０００３】
このような中皿付き包装用容器としては、例えば平面視円形の容器本体のフランジよりも内側に周状の係止段部が設けられ、平面視円形の中皿の外周に沿って載置縁が設けられ、中皿の周状の載置縁を容器本体の周状の係止段部に載せるようにして中皿が容器本体に内装されるものがある（特許文献１の段落［００４３］〜［００５０］、図６〜図８参照）。
【０００４】
また、別の包装用容器の中皿として、平面視略八角形で底の浅いトレー状の中皿もある（特許文献２参照）。
【先行技術文献】
【特許文献】
【０００５】
【特許文献１】特開２００８−２４３３８号公報
【特許文献２】意匠登録第１５３２９０４号公報
【発明の概要】
【発明が解決しようとする課題】
【０００６】
ところで、中皿付き包装用容器では、容器本体と中皿に食品等が収容されると共に、容器本体に中皿が同じ向きで内装されるため、食品等が収容された中皿付き包装用容器を並べて店舗で陳列した際に、画一的な商品が陳列されることとなる。しかし、消費者の注目を強く引いて購買意欲を喚起するためには、商品の陳列状態を多様化することや多様に変化させることが望ましい。
【０００７】
本発明は上記課題に鑑み提案するものであって、商品の陳列状態を多様化することや多様に変化させることが可能であり、消費者の注目を強く引いて商品の購買意欲を喚起することができる包装用容器の中皿及び包装用容器を提供することを目的とする。
【課題を解決するための手段】
【０００８】
本発明の包装用容器の中皿は、平面視略正方形で上方に開口する包装用容器の容器本体の内側に設置され、前記容器本体の側壁の上部に形成される段差部で外周フランジが支持される合成樹脂製の中皿であって、前記外周フランジは、その外周縁を構成する第１辺と第２辺が交互に配置されて平面視略八角形に形成され、前記中皿の略中央に収容部が形成され、前記容器本体の前記側壁の辺部を縦横に揃えて配置した状態に対して２組の前記第１辺の対向する方向を縦横に揃えて前記容器本体の内側に設置した第１の状態と、前記容器本体の前記側壁の辺部を縦横に揃えて配置した状態に対して２組の前記第２辺の対向する方向を縦横に揃えて前記容器本体の内側に設置した第２の状態とで、前記収容部の側壁の上端の平面視形状が前記容器本体の縦横に対して異方性を有することを特徴とする。
これによれば、中皿の容器本体への設置状態によって収容部の側壁上端の平面視形状を異ならせることが可能となるから、食品等が収容された中皿付き包装用容器の商品の陳列状態を多様化することや多様に変化させることができ、消費者の注目を強く引いて商品の購買意欲を喚起することができる。また、平面視略正方形の容器本体に対して中皿の外周フランジを平面視略八角形に形成することにより、上方から、中皿に載せる食品等を消費者に見せることができると共に、容器本体の四隅と中皿の外周フランジとの間の隙間から容器本体に収容された食品等を消費者に見せることができる。
【０００９】
本発明の包装用容器の中皿は、前記外周フランジの前記第１辺の長さが前記第２辺の長さよりも長く形成されていることを特徴とする。
これによれば、食品等が収容された中皿付き包装用容器の商品の陳列状態をより多様化することやより多様に変化させることができ、消費者の注目度を一層高めて商品の購買意欲をより喚起することができる。
【００１０】
本発明の包装用容器の中皿は、前記収容部の前記側壁の上端が平面視略多角形若しくは平面視略楕円形に形成され、前記収容部の前記側壁の上端で囲まれる平面視面積が前記中皿の全体の平面視面積の６５％以上を占めていることを特徴とする。
これによれば、容器本体に収容された食品等への消費者の視認性を確保しつつ、収容部の食品等の収容量を増加させることができると共に、中皿の収容部の盤面、収容部に収容された食品等を消費者に広がりを持って見せ、商品が消費者にアピールする度合いをより高めることができる。
【００１１】
本発明の包装用容器の中皿は、前記収容部の前記側壁の上端が四隅で湾曲する平面視略矩形に形成されていると共に、前記収容部の前記側壁が前記外周フランジよりも上方に立ち上がるように形成され、前記外周フランジの前記第１辺が前記収容部の前記側壁のそれぞれの辺の部分と略対応するように配置され、前記外周フランジの前記第１辺よりも長さが短い前記第２辺が前記収容部の前記側壁の湾曲する湾曲部と略対応するように配置され、前記収容部の前記側壁の下方に向かって外側に拡がる略テーパ状の外壁面の傾斜角度が、前記湾曲部の中央部分に対応する箇所で最も急峻になっていることを特徴とする。
これによれば、容器本体に収容された食品等への消費者の視認性を確保しつつ、収容部の食品等の収容量と容器本体の食品等の収容量を増加させることができる。また、容器本体の側壁の辺部を縦横に揃えて配置した状態に対して、２組の第１辺の対向する方向を縦横に揃えて容器本体の内側に設置する第１の状態と、２組の第２辺の対向する方向を縦横に揃えて容器本体の内側に設置する第２の状態の双方を確実に実現することができる。
【００１２】
本発明の包装用容器は、平面視略正方形で上方に開口し、側壁の上部に段差部が形成された合成樹脂製の容器本体と、前記外周フランジが前記段差部で支持されるようにして前記容器本体の内側に設置される本発明の中皿とを備えることを特徴とする。
これによれば、本発明の中皿の効果を得ることができる包装用容器を得ることができる。
【００１３】
本発明の包装用容器は、前記外周フランジの前記第１辺の長さが前記第２辺の長さよりも長く形成されていると共に、前記容器本体の前記段差部の外端部が上方に向かって外側に拡がる略テーパ状に形成されていることを特徴とする。
これによれば、容器本体の側壁の辺部を縦横に揃えて配置した状態に対して２組の短い第２辺の対向する方向を縦横に揃えて容器本体の内側に設置した第２の状態では、第１の状態よりも縦の長さと横の長さの双方が長くなるが、この第２の状態でも段差部の外端部の略テーパの部分で中皿の外周フランジの配置状態による縦横長さ増加分を吸収し、重力で下方に落下する中皿の外周フランジを段差部で確実に安定して支持することができる。また、縦横の長さが短い第１の状態では、中皿の外周フランジが段差部の略テーパの部分の下側に落下して支持され、略テーパ状の部分の立ち上がり箇所で中皿が水平移動することを規制或いは抑制して安定支持することができる。尚、段差部の外端部に略テーパ状の部分がなく全体が水平面であり、この構成で第１の状態と第２の状態の中皿を支持する場合、中皿の縦横の長さが短くなる第１の状態では中皿の水平移動が規制或いは抑制されずに中皿の設置状態が不安定になり、他方で第１の状態の中皿の設置状態を安定させる幅に全体が水平面の段差部を形成すると第２の状態で中皿を設置することができなくなる。また、第１辺が第２辺よりも長い中皿を第１の状態、第２の状態のいずれで容器本体に設置する場合にも、略テーパ状の部分で誘導して容器本体の内側に設置し易くすることができる。
【００１４】
本発明の包装用容器は、前記中皿の前記収容部の前記側壁が前記外周フランジよりも上方に立ち上がるように形成され、且つ前記収容部の前記側壁の外壁面が下方に向かって外側に拡がる略テーパ状に形成されていると共に、前記容器本体に内嵌合で着脱可能な合成樹脂製の蓋が設けられ、前記蓋の側壁は下方に向かって外側に拡がる略テーパ状に形成され、前記中皿を前記容器本体の内側に前記第１の状態と前記第２の状態のいずれで設置した場合にも、前記蓋の側壁が前記収容部の前記側壁に接触した状態若しくは離間した状態で、前記蓋が前記容器本体を内嵌合で閉鎖可能になっていることを特徴とする。
これによれば、容器本体に収容された食品等への消費者の視認性を確保しつつ、収容部の食品等の収容量と容器本体の食品等の収容量を増加させることができる。また、シール性に優れる内嵌合の構造において、第１の状態と第２の状態のいずれで中皿を容器本体に設置した場合でも蓋を確実に閉じることができる。
【発明の効果】
【００１５】
本発明の包装用容器の中皿又は中皿を備える包装用容器によれば、商品の陳列状態を多様化することや多様に変化させることが可能であり、消費者の注目を強く引いて商品の購買意欲を喚起することができる。
【図面の簡単な説明】
【００１６】
【図１】（ａ）は本発明の第１実施形態の包装用容器の中皿の平面図、（ｂ）はその底面図。
【図２】（ａ）は第１実施形態の包装用容器の中皿の正面図、（ｂ）はその背面図。
【図３】（ａ）は第１実施形態の包装用容器の中皿の右側面図、（ｂ）はその左側面図。
【図４】（ａ）は図１のＡ−Ａ部分拡大図、（ｂ）は図１のＢ−Ｂ拡大断面図。
【図５】第１実施形態の包装用容器の容器本体と中皿を示す分解斜視図。
【図６】第１実施形態において容器本体に中皿を第１の状態で設置した状態を示す平面図。
【図７】第１実施形態において容器本体に中皿を第２の状態で設置した状態を示す平面図。
【図８】（ａ）は第１実施形態において第１の状態で容器本体の段差部に中皿の外周フランジが支持されている容器本体の側壁の中央部分の端面説明図、（ｂ）は第１実施形態において第２の状態で容器本体の段差部に中皿の外周フランジが支持されている容器本体の側壁の中央部分の端面説明図。
【図９】第２実施形態の包装用容器の容器本体と中皿と蓋を示す分解斜視図。
【図１０】第２実施形態において第１の状態で中皿を設置した容器本体を蓋で閉じた状態の平面図。
【図１１】第２実施形態において第２の状態で中皿を設置した容器本体を蓋で閉じた状態の平面図。
【図１２】（ａ）は第２実施形態において第１の状態で容器本体の段差部に中皿の外周フランジが支持され且つ蓋が閉じられている容器本体の側壁の中央部分の端面説明図、（ｂ）は第２実施形態において第２の状態で容器本体の段差部に中皿の外周フランジが支持され且つ蓋が閉じられている容器本体の側壁の中央部分の端面説明図。
【発明を実施するための形態】
【００１７】
〔第１実施形態の包装用容器の中皿及び包装用容器〕
本発明による第１実施形態の包装用容器の中皿１０は、図１〜図５に示すように、平面視略八角形の外形を有し、全体が透明な合成樹脂で形成されている。中皿１０の略中央には底部１１が設けられ、底部１１の周囲から側壁１２が起立するように形成され、底部１１と側壁１２で囲まれる部分が上方に開口する収容部１３になっている。側壁１２は、上方に向かって外側に拡がるように傾斜する略テーパ状の内壁面１２１と、最も上側に位置する上端１２２と、下方に向かって外側に拡がるように傾斜する略テーパ状の外壁面１２３とから構成され、内壁面面１２１から上端１２２を介して外壁面１２３に至るようになっている。収容部１３の周囲を囲む内壁面１２１には周状の段部１２４が形成されており、段部１２４は上下方向に複数段で形成されている。
【００１８】
底部１１の外周形状と、側壁１２の上端１２２の周方向の形状は四隅で湾曲する平面視略矩形に形成されており、中皿１０の略中央の収容部１３はこれに対応して四隅で湾曲する平面視略矩形に形成されている。収容部１３の側壁１２の上端１２２で囲まれる平面視面積は、中皿１０の全体の領域、換言すれば後述する外周フランジ１５の外周縁で囲まれる領域の平面視面積の６５％以上を占めるように形成される。また、側壁１２の外壁面１２３の下端は外方に屈曲して下方に屈曲する段部１４に連なっており、段部１４の下端から外方に延びる外周フランジ１５が形成されている。
【００１９】
外周フランジ１５は略水平で外方に延びてある程度の幅を持って形成され、中皿１０の周囲全体に亘って周状に形成されており、その表面には手切り防止用の凹凸が形成されている。外周フランジ１５は、側壁１２よりも下側に位置する段部１４の下端から略水平に延びていることから、側壁１２と外周フランジ１５との位置関係では、側壁１２が外周フランジ１５よりも上方に立ち上がるように形成されることになる。
【００２０】
外周フランジ１５は、その外周縁が平面視略八角形に形成されており、この平面視略八角形の外周縁は第１辺１５１と第２辺１５２が交互に配置されて構成され、この外周縁を構成する第１辺１５１は第１辺１５１・１５１が相互に対向する位置に配置され、同様に第２辺１５２は第２辺１５２・１５２が相互に対向する位置に配置される。
【００２１】
第１実施形態の中皿１０における外周フランジ１５の第１辺１５１の長さは第２辺１５２の長さよりも長く形成されており、又、外周フランジ１５の第１辺１５１は収容部１３の側壁１２のそれぞれの辺の部分と略対応するように配置され、第１辺１５１よりも長さが短い第２辺１５２は収容部１３の側壁１２の四隅で湾曲する湾曲部１２５と略対応するように配置されている。更に、側壁１２の下方に向かって外側に拡がる略テーパ状の外壁面１２３の傾斜角度は、湾曲部１２５の中央部分に対応する箇所で最も急峻になっており、側壁１２の辺部分の中央部分など他のいずれの箇所よりも急峻になっている。
【００２２】
また、第１実施形態の包装用容器の容器本体２０は、平面視略正方形で上方に開口する箱型で、全体が透明な合成樹脂で形成されている。容器本体２０の底部２１の周囲からは側壁２２が起立するように形成され、側壁２２は上方に向かって外側に拡がるように形成されている。側壁２２の上部には段差部２３が形成されており、段差部２３は、側壁２２の上端から略水平で外側に延びる平面部２３１と、平面部２３１の外端から上方に向かって外側に拡がる略テーパ状に形成されたテーパ部２３２とから構成され、段差部２３の外端はテーパ部２３２になっている。
【００２３】
段差部２３の外端、換言すればテーパ部２３２の外端或いは上端からは、上方に向かって僅かに内側に傾斜する起立部２４が形成され、起立部２４の上端から端面視で上方に凸の略山形である外周部２５が形成されている。平面部２３１とテーパ部２３２で構成される段差部２３、起立部２４、外周部２５は、容器本体２０の全周に亘って設けられている。
【００２４】
そして、第１実施形態の包装用容器の中皿１０は、容器本体２０の側壁２２の上部に形成される段差部２３で外周フランジ１５が支持されるようにして、容器本体２０の内側に設置される。この場合、容器本体２０の側壁２２の辺部を縦横に揃えて配置した状態に対して、中皿１０の２組の第１辺１５１・１５１の対向する方向を縦横に揃えて、段差部２３で外周フランジ１５が支持されるように中皿１０を容器本体２０の内側に設置する第１の状態（図６参照）とすることができると共に、容器本体２０の側壁２２の辺部を縦横に揃えて配置した状態に対して、中皿１０の２組の第２辺１５２・１５２の対向する方向を縦横に揃えて、段差部２３で外周フランジ１５が支持されるように中皿１０を容器本体２０の内側に設置する第２の状態（図７参照）とすることができる。
【００２５】
第１実施形態では、容器本体２０の側壁２２の辺部を縦横に揃えて配置した状態に対して２組の短い第２辺１５２・１５２の対向する方向を縦横に揃えて容器本体の内側に設置した第２の状態では、第１辺１５１が第２辺１５２よりも長いため、第１の状態よりも縦の長さと横の長さの双方が長くなるが、第２の状態でも段差部２３の外端部のテーパ部２３２で中皿１０の外周フランジ１５の配置による長さ増加分を吸収することが可能である。
【００２６】
即ち、第１の状態で中皿１０を容器本体２０の内側に設置した場合には、図８（ａ）に示すように、中皿１０の第１辺１５１に対応する外周フランジ１５の部分が容器本体２０の側壁２２の辺部の中央部分に対応する段差部２３で支持される。この際、中皿１０の外周フランジ１５の当該部分は、段差部２３の平面部２３１に載置されるようにして支持される。
【００２７】
また、第２の状態で中皿１０を容器本体２０の内側に設置した場合には、図８（ｂ）に示すように、中皿１０の第２辺１５２に対応する外周フランジ１５の部分が容器本体２０の側壁２２の辺部の中央部分に対応する段差部２３で支持される。この際、中皿１０の外周フランジ１５の当該部分は、段差部２３のテーパ部２３２で全体が支持されるか、或いは中皿１０が僅かに傾いた場合には段差部２３のテーパ部２３２と平面部２３１とで支持されるようにして、段差部２３で支持される。
【００２８】
更に、中皿１０の収容部１３の側壁１２の上端１２２の平面視形状は、第１の状態で設置した場合と第２の状態で設置した場合とで、容器本体２０の縦横に対して異方性を有するようになっている。第１実施形態では、中皿１０を容器本体２０に第１の状態で設置した場合には、平面視略正方形の容器本体２０の四隅と、収容部１３の側壁上端１２２の平面視略矩形の四隅の湾曲部１２５が略対応する平面視形状、換言すれば容器本体２０の四隅と収容部１３の四隅が略対応する平面視形状となる。また、中皿１０を容器本体２０に第２の状態で設置した場合には、平面視略正方形の容器本体２０の側壁２２の各辺部の中央部分と、収容部１３の側壁上端１２２の四隅の湾曲部１２５が略対応する平面視形状、換言すれば容器本体２０の辺部の中央部分と収容部１３の四隅が略対応する平面視形状となる。
【００２９】
第１実施形態によれば、中皿１０の容器本体２０への設置状態によって収容部１３の側壁上端１２２の平面視形状を異ならせることが可能となるから、食品等が収容された中皿付き包装用容器の商品の陳列状態を多様化することや多様に変化させることができ、消費者の注目を強く引いて商品の購買意欲を喚起することができる。更に、外周フランジ１５の第１辺１５１の長さを第２辺１５２の長さよりも長く形成することにより、この多様化や多様な変化を一層高めることができる。また、平面視略正方形の容器本体２０に対して中皿１０の外周フランジ１５を平面視略八角形に形成することにより、上方から、中皿１０に載せる食品等を消費者に見せることができると共に、容器本体２０の四隅と中皿１０の外周フランジ１５との間の隙間から容器本体２０に収容された食品等を消費者に見せることができる。
【００３０】
また、中皿１０の収容部１３の側壁上端１２２を平面視略多角形である四隅に湾曲部１２５を有する平面視略矩形に形成し、収容部１３の側壁上端１２２で囲まれる平面視面積を中皿１０の全体の平面視面積の６５％以上を占めるようにすることで、容器本体２０に収容された食品等への消費者の視認性を確保しつつ、収容部１３の食品等の収容量を増加させることができると共に、中皿１０の収容部１３の盤面、収容部１３に収容された食品等を消費者に広がりを持って見せ、商品が消費者にアピールする度合いをより高めることができる。
【００３１】
また、収容部１３の側壁上端１２２を四隅で湾曲する平面視略矩形に形成し、収容部１３の側壁１２を外周フランジ１５よりも上方に立ち上がるように形成することで、容器本体２０に収容された食品等への消費者の視認性を確保しつつ、収容部１３の食品等の収容量と容器本体２０の食品等の収容量を増加させることができる。また、中皿１０の外周フランジ１５の第１辺１５１を収容部１３の側壁１２のそれぞれの辺の部分と略対応するように配置し、外周フランジ１５の第１辺１５１よりも長さが短い第２辺１５２を収容部１３の側壁１２の湾曲する湾曲部１２５と略対応するように配置し、収容部１３の側壁１２の下方に向かって外側に拡がる略テーパ状の外壁面１２３の傾斜角度を湾曲部１２５の中央部分に対応する箇所で最も急峻にすることにより、平面視略矩形の収容部１３を有する中皿１０を第１の状態と第２の状態の双方で確実に容器本体２０に設置することができる。
【００３２】
また、容器本体２０の側壁２２の辺部を縦横に揃えて配置した状態に対して２組の短い第２辺１５２・１５２の対向する方向を縦横に揃えて容器本体２０の内側に設置した第２の状態で、第１の状態よりも縦の長さと横の長さの双方が長くなる場合でも、段差部２３の外端部のテーパ部２３２で中皿１０の外周フランジ１５の配置状態による縦横長さ増加分を吸収し、重力で下方に落下する中皿１０の外周フランジ１５を段差部２３で確実に安定して支持することができる。また、縦横の長さが短い第１の状態では、中皿１０の外周フランジ１５が段差部２３のテーパ部２３２の下側に落下して支持され、テーパ部２３２の立ち上がり箇所で中皿１０が水平移動することを規制或いは抑制して安定支持することができる。また、第１辺１５１が第２辺１５２よりも長い中皿１０を第１の状態、第２の状態のいずれで容器本体２０に設置する場合にも、テーパ部２３２で誘導して容器本体２０の内側に設置し易くすることができる。
【００３３】
〔第２実施形態の包装用容器の中皿及び包装用容器〕
本発明による第２実施形態の包装用容器の中皿１０、容器本体２０は、第１実施形態の中皿１０、容器本体２０と同様であるが、第２実施形態の包装用容器は、図９〜図１２に示すように、蓋３０を備える点で第１実施形態と相違する。蓋３０は、内嵌合で容器本体２０に着脱可能なものであり、平面視略正方形で、全体が透明な合成樹脂で形成されている。
【００３４】
蓋３０は、天板３１と、天板３１の周囲から下方に向かって外側に拡がるように傾斜する略テーパ状の側壁３２と、側壁３２の下端から外側に向かって略水平に延びる段部３３と、段部３３の外端から形成された嵌合部３４とから構成される。嵌合部３４は、端面視で下方に凸の略コ字形に形成されており、蓋３０は、嵌合部３４を容器本体２０の上方に向かって僅かに内側に傾斜する起立部２４に嵌め込むことにより、容器本体２０を内嵌合で閉鎖可能になっている（図１０〜図１２参照）。
【００３５】
そして、中皿１０の収容部１３の側壁１２は、第１実施形態と同様に、外周フランジ１５よりも上方に立ち上がるように形成され、且つ外壁面１２３が下方に向かって外側に拡がる略テーパ状に形成されているが、蓋３０は、中皿１０を容器本体２０の内側に上述の第１の状態と第２の状態のいずれで設置した場合にも、側壁３２が収容部１３の側壁１２に接触した状態若しくは離間した状態で、容器本体２０を内嵌合で閉鎖可能になっている。
【００３６】
図１２の例では、中皿１０を容器本体２０に第１の状態で設置した場合、蓋３０の側壁３２が中皿１０の側壁１２から離間した状態で、蓋３０が容器本体２０を内嵌合で閉鎖可能になっており（図１２（ａ）参照）、又、中皿１０を容器本体２０に第２の状態で設置した場合、蓋３０の側壁３２が中皿１０の側壁１２から離間した状態或いは部分的に接触した状態で、蓋３０が容器本体２０を内嵌合で閉鎖可能になっている（図１２（ｂ）参照）。
【００３７】
第２実施形態によれば、シール性に優れる内嵌合の構造において、第１の状態と第２の状態のいずれで中皿１０を容器本体２０に設置した場合でも蓋３０を確実に閉じることができる。
【００３８】
〔本明細書開示発明の包含範囲〕
本明細書開示の発明は、発明として列記した各発明、各実施形態の他に、適用可能な範囲で、これらの部分的な内容を本明細書開示の他の内容に変更して特定したもの、或いはこれらの内容に本明細書開示の他の内容を付加して特定したもの、或いはこれらの部分的な内容を部分的な作用効果が得られる限度で削除して上位概念化して特定したものを包含する。そして、本明細書開示の発明には下記変形例や追記した内容も含まれる。
【００３９】
例えば異方性を有する収容部の側壁上端の平面視形状は、第１実施形態の四隅で湾曲する平面視略矩形とすることが好ましいが、これに限定されず、例えば平面視略矩形以外の平面視略五角形等の平面視略多角形の形状、平面視略星形の形状、平面視略楕円形の形状など本発明の趣旨の範囲内の適宜形状を採用することが可能である。尚、中皿の収容部への収容量増加の観点からは、平面視略多角形の形状や平面視略楕円形の形状など、外側に膨らみを持つ形状とすることが望ましい。
【００４０】
また、本発明の包装用容器の中皿は、外周縁が平面視略八角形の外周フランジにおいて、第１辺の長さを第２辺の長さよりも長く形成すると好適であるが、第１辺の長さと第２辺の長さを同一の長さとし、且つ上述の第１の状態と第２の状態とで収容部の側壁上端の平面視形状が容器本体の縦横に対して異方性を有する中皿とすることも可能である。また、本発明の包装用容器の中皿には、収容部の一部又は全部が外周フランジよりも下側に位置するものも含まれる。
【００４１】
また、本発明の包装用容器の中皿や容器本体に収容する食品、食材はサラダ、惣菜など適宜である。また、本発明の包装用容器の中皿と容器本体は透明なものとすると好適であるが、いずれか一方又は双方を不透明なものとすることも可能である。また、本発明の包装用容器の中皿、容器本体、蓋を形成する合成樹脂は適宜であり、例えばポリオレフィン系樹脂、ポリスチレン系樹脂、ポリエステル系樹脂等、並びにこれらの２種類以上の樹脂のブレンドを用いることが可能である。
【産業上の利用可能性】
【００４２】
本発明は、例えば惣菜、サラダ等の食品や食材を中皿と容器本体に収容する包装用容器に利用することができる。
【符号の説明】
【００４３】
１０…中皿  １１…底部  １２…側壁  １２１…内壁面  １２２…上端  １２３…外壁面  １２４…段部  １２５…湾曲部  １３…収容部  １４…段部  １５…外周フランジ  １５１…第１辺  １５２…第２辺  ２０…容器本体  ２１…底部  ２２…側壁  ２３…段差部  ２３１…平面部  ２３２…テーパ部  ２４…起立部  ２５…外周部  ３０…蓋  ３１…天板  ３２…側壁  ３３…段部  ３４…嵌合部
【図１】
2018016338.tif 000003
【図２】
2018016338.tif 000004
【図３】
2018016338.tif 000005
【図４】
2018016338.tif 000006
【図５】
2018016338.tif 000007
【図６】
2018016338.tif 000008
【図７】
2018016338.tif 000009
【図８】
2018016338.tif 000010
【図９】
2018016338.tif 000011
【図１０】
2018016338.tif 000012
【図１１】
2018016338.tif 000013
【図１２】
2018016338.tif 000014